(57)【要約】【課題】電気泳動ディスプレイが湾曲されて配置されても、画像の表示性能を良好に維持できる表示装置を提供すること。【解決手段】表示装置１は、電気泳動ディスプレイ１５がケース内に湾曲して配置されて構成されている。電気泳動ディスプレイ１５は、共通電極２７が配置された透明基板２１と、セグメント電極２３が配置されたディスプレイ基板２０と、電極２３，２７間に設けられた帯電した粒子とを備えている。ディスプレイ基板２０には、共通電極駆動用電極２４Ａ，２４Ｂが配置されている。共通電極駆動用電極２４Ａ，２４Ｂと、共通電極２７との間には、導通部材２８Ａ，２８Ｂが介装されている。表示装置１は、透明基板２１またはディスプレイ基板２０の少なくとも一方を導通部材２８Ａ，２８Ｂ側に押圧し、導通部材２８Ａ，２８Ｂと各電極２４Ａ，２４Ｂ，２７とが密着された状態に維持するスペーサ部材３２Ａ，３２Ｂを備えている。【選択図】図４
2008015007.tif 000002
【特許請求の範囲】
【請求項１】
共通電極が配置された透明基板と、前記共通電極に対向配置されて表示を制御するための表示用電極が配置されたディスプレイ基板と、前記各電極間に設けられた帯電した粒子とを備えた電気泳動ディスプレイがケース内に湾曲して配置された表示装置であって、
ディスプレイ基板の前記共通電極との対向面には、共通電極駆動用電極が配置され、
この共通電極駆動用電極と、前記共通電極との間には、前記共通電極駆動用電極および共通電極を導通させる導通部材が介装され、
前記透明基板またはディスプレイ基板の少なくとも一方を前記導通部材側に押圧し、前記導通部材と各電極とが密着された状態に維持する押圧手段を備えている
ことを特徴とする表示装置。
【請求項２】
請求項１に記載の表示装置において、
前記押圧手段は、前記ケースと、前記電気泳動ディスプレイとの間に設置されているスペーサ部材である
ことを特徴とする表示装置。
【請求項３】
請求項１または請求項２に記載の表示装置において、
前記導通部材は、前記電気泳動ディスプレイの湾曲方向の端部に配置され、
前記押圧手段は、前記電気泳動ディスプレイの裏面において前記湾曲方向の端部よりも湾曲方向内側の位置で前記電気泳動ディスプレイを前記ケースに接着し、前記電気泳動ディスプレイの前記湾曲方向の端部を前記ケースに当接させる接着手段を備えて構成されている
ことを特徴とする表示装置。
【発明の詳細な説明】
【技術分野】
【０００１】
本発明は、表示装置に係り、特に、電気泳動ディスプレイが湾曲されて配置された表示装置に関する。
【背景技術】
【０００２】
従来、薄型ディスプレイとして電気泳動ディスプレイが知られている。電気泳動ディスプレイでは、一般に、共通電極が配置された透明基板と、共通電極に対向配置されて表示を制御するための表示用電極が配置されたディスプレイ基板と、共通電極と表示用電極との間に設けられて帯電した白色粒子および黒色粒子が封入された電気泳動層とを備え、電極間に電圧がかけられて外部から視認される透明基板への黒色粒子と白色粒子との移動量が調整されることで、白色および黒色からなる表示色が調整されて、画像が表示される（例えば、特許文献１参照）。このような電気泳動ディスプレイでは、表示用電極を挟むようにディスプレイ基板上の両端部に共通電極用駆動電極が設けられており、この共通電極用駆動電極と、共通電極との間に導通部材が介装されることにより、共通電極に電圧がかけられている。
【０００３】
ところで、近年、この電気泳動ディスプレイの各部材に可撓性を有する部材を用いて電気泳動ディスプレイに可撓性を付与し、ケースの湾曲部に配置した表示装置、例えば腕時計等の開発が進められている。
【０００４】
【特許文献１】特開昭５２−７０７９１号公報
【発明の開示】
【発明が解決しようとする課題】
【０００５】
しかしながら、平面的に構成され厚みのある電気泳動ディスプレイが湾曲されて配置されるため、湾曲された電気泳動ディスプレイの外周側に位置する透明基板と、湾曲された電気泳動ディスプレイの内周側に位置するディスプレイ基板とには、面方向にずれが生じ、このずれにより、導通部材にはせん断力が働く。
【０００６】
そして、このせん断力により、導通部材が電極から剥離したり、導通部材の内部に空間ができるような破壊が生じたりした場合、従来の表示装置では、導通部材が共通電極と共通電極駆動用電極とを導通できなくなり、共通電極に印可できなくなって画像を正常に表示できなくなるおそれがあった。
【０００７】
本発明の目的は、電気泳動ディスプレイが湾曲されて配置されても、画像の表示性能を良好に維持できる表示装置を提供することにある。
【課題を解決するための手段】
【０００８】
本発明の表示装置は、共通電極が配置された透明基板と、前記共通電極に対向配置されて表示を制御するための表示用電極が配置されたディスプレイ基板と、前記各電極間に設けられた帯電した粒子とを備えた電気泳動ディスプレイがケース内に湾曲して配置された表示装置であって、ディスプレイ基板の前記共通電極との対向面には、共通電極駆動用電極が配置され、この共通電極駆動用電極と、前記共通電極との間には、前記共通電極駆動用電極および共通電極を導通させる導通部材が介装され、前記透明基板またはディスプレイ基板の少なくとも一方を前記導通部材側に押圧し、前記導通部材と各電極とが密着された状態に維持する押圧手段を備えていることを特徴とする。
【０００９】
この構成の本発明では、押圧手段を備えているので、透明基板またはディスプレイ基板の少なくとも一方を導通部材側に押圧することができ、導通部材と、共通電極駆動用電極および共通電極とを密着された状態に維持できる。これにより、たとえ導通部材が電極部分から剥離したり、導通部材の内部に空間ができるような破壊が生じたりしても、導通部材は確実に共通電極駆動用電極と共通電極との導通を維持できるので、画像の表示性能を良好に維持できる。
【００１０】
この際、前記押圧手段は、前記ケースと、前記電気泳動ディスプレイとの間に設置されているスペーサ部材であってもよい。
この構成によれば、電気泳動ディスプレイをケースとスペーサ部材との間に挟み込むことができ、透明基板およびディスプレイ基板を導通部材側に押圧することができ、導通部材と、共通電極駆動用電極および共通電極とを密着された状態に維持できる。これにより、導通部材は確実に共通電極駆動用電極と共通電極との導通を維持でき、画像の表示性能を良好に維持できる。
【００１１】
また、上記構成において、前記導通部材が前記電気泳動ディスプレイの湾曲方向の端部に配置された場合、前記押圧手段は、前記電気泳動ディスプレイの裏面において前記湾曲方向の端部よりも湾曲方向内側の位置で前記電気泳動ディスプレイを前記ケースに接着し、前記電気泳動ディスプレイの前記湾曲方向の端部を前記ケースに当接させる接着手段を備えて構成されていてもよい。
【００１２】
この構成によれば、湾曲された電気泳動ディスプレイの外周側の面が表面となり、湾曲された電気泳動ディスプレイの内周側の面が裏面となる。そして、押圧手段を構成する接着手段が電気泳動ディスプレイの裏面において、湾曲方向の端部よりも湾曲方向内側の位置で電気泳動ディスプレイをケースに接着し、導通部材が配置された端部を電気泳動ディスプレイの反発力によりケースに当接させる。これにより、このケースに当接する端部において、湾曲されたディスプレイ基板を反発力により導通部材側に押圧でき、導通部材と、共通電極駆動用電極および共通電極とを密着された状態に維持でき、確実に共通電極駆動用電極と共通電極との導通を維持できて画像の表示性能を良好に維持できる。
【発明の効果】
【００１３】
このような本発明によれば、電気泳動ディスプレイが湾曲されて配置されても、導通部材は確実に共通電極駆動用電極と共通電極とを導通でき、画像の表示性能を良好に維持できる。
【発明を実施するための最良の形態】
【００１４】
〔第１実施形態〕
以下に本発明の第１実施形態を図面に基づいて説明する。
図１は、本実施形態に係る時計の斜視図であり、図２は、その側面図である。
図１および図２に示すように、本発明に係る表示装置であり、腕時計である時計１は、ケース２と、ケース２内部に配置されている表示ユニット３（図２参照）とを含んで構成されている。
【００１５】
ケース２は、使用者が手首を通して嵌め込むための分離部４を備えて断面視略Ｃ字状に形成され、上部外装体６と、カバー体７と、下部外装体８と、裏蓋９とから構成されている。
【００１６】
上部外装体６は、湾曲形成された薄板状の部材で構成され、その平面中央部分には略矩形状開口からなる表示窓１０が形成されている。
カバー体７は、透明ガラスから構成され、端部の肉厚が薄く形成されている。そして、カバー体７は、この端部が上部外装体６の内側で押さえられて上部外装体６と裏蓋９との間に配置されている。
【００１７】
下部外装体８は、上部（図２中上側）にタッチセンサ１１の感知部１２が配設されている。裏蓋９は、ケース２の裏側全体に配置されている。
【００１８】
。
図３は、表示ユニットの平面図である。
表示ユニット３は、制御回路基板１４と、制御回路基板１４により制御されて時刻等が表示される電気泳動ディスプレイ１５とを備え、帯状に構成されている。制御回路基板１４と、電気泳動ディスプレイ１５とは個別に製造され、コネクタ１６で接続されている。
【００１９】
制御回路基板１４は、ポリイミドやポリエステルなどの可撓性を有する樹脂から形成されたフレキシブル基板（ＦＰＣ：Flexible Printed Circuit）であり、制御回路基板１４上には、ボタン電池から構成されて各部に電力を供給する電源１７と、時計１全体を制御する制御用コントローラ１８と、ドライバＩＣから構成されて電気泳動ディスプレイ１５の表示制御を実行する駆動回路１９と、タッチセンサ１１とがそれぞれ互いに重なることなく実装されている。
【００２０】
図４は、電気泳動ディスプレイの断面図である。ただし、分かり易くするために、電気泳動ディスプレイを平面的（湾曲されていない状態）に表した。
電気泳動ディスプレイ１５は、ディスプレイ基板２０と、透明基板２１と、ディスプレイ基板２０および透明基板２１の間に設けられた電気泳動層２２とを含んで構成されている。
【００２１】
ディスプレイ基板２０は、制御回路基板１４と同様に、ポリイミドやポリエステルなどの可撓性を有する樹脂から形成されたフレキシブル基板であり、透明基板２１に比べて相対的に薄く形成され、上面には表示を制御するための表示用電極である複数のセグメント電極２３が設けられている。なお、以降、ケース２の湾曲方向先端側（図４中右側）、およびケース２の湾曲方向中央側（図４中左側）の各位置に設けられた各部材は、それぞれ先端、中央という言葉を使って表現するとともに、一括して表す場合には位置的な説明を除いて表現する。
【００２２】
ディスプレイ基板２０の上面には、セグメント電極２３を挟んで湾曲方向先端側（図４中右側）に先端共通電極駆動用電極２４Ａが設けられ、湾曲方向中央側（図４中左側）に中央共通電極駆動用電極２４Ｂが設けられている。また、セグメント電極２３の上部には、接着剤（接着層）２５が設けられ、これによりセグメント電極２３の上部には複数のマイクロカプセル２６が接着されている。マイクロカプセル２６の中には、電気泳動分散液が封入されている。電気泳動分散液には、プラスに帯電した黒色粒子、およびマイナスに帯電した白色粒子が混合されている。そして、この複数のマイクロカプセル２６により電気泳動層２２は構成されている。
【００２３】
透明基板２１のディスプレイ基板２０に対向する面（対向面）には、ＩＴＯ（Indium-Tin Oxide）蒸着等で形成された透明の共通電極２７が設けられている。この共通電極２７と、先端共通電極駆動用電極２４Ａとの間には、先端導通部材２８Ａが介装され、共通電極２７と、中央共通電極駆動用電極２４Ｂとの間には、中央導通部材２８Ｂが介装されている。これらの導通部材２８Ａ，２８Ｂは、導電性の接着剤等から構成され、共通電極２７および共通電極駆動用電極２４Ａ，２４Ｂと導電接着剤等で接着されて共通電極２７と共通電極駆動用電極２４Ａ，２４Ｂとを導通している。
【００２４】
なお、先端導通部材２８Ａが配置されている電気泳動ディスプレイ１５の先端側の端部を先端側端部２９Ａとし、中央導通部材２８Ｂが配置されている中央側の端部を中央側端部２９Ｂとする。これらの端部２９Ａ，２９Ｂは、図２において、斜線で示されており、上部外装体６の内側で被覆される位置に配置され、表示窓１０から導通部材２８Ａ，２８Ｂが露出しないようにされている。
【００２５】
また、透明基板２１の上面側に設けられた透明基板側耐湿シート３０、およびディスプレイ基板２０の下面側に設けられたディスプレイ基板側耐湿シート３１により、透明基板２１、電気泳動層２２、およびディスプレイ基板２０等は密封され、電気泳動層２２への水分の浸入が防がれている。詳述すると、これらの耐湿シート３０，３１の内側には、接着層としてホットメルト材が塗布され、真空ラミネータ等で耐湿シート３０，３１の端部同士を接着させ、また、耐湿シート３０，３１をディスプレイ基板２０ならびに透明基板２１に接着させることにより、基板端面ならびに表裏面において、透明基板２１、電気泳動層２２、およびディスプレイ基板２０等を密封している。
【００２６】
次に、描画処理について説明する。
描画処理は、時刻更新（本実施形態では一分間隔で時刻更新）や、タッチセンサ１１に接触することによる表示更新指示によって実行される。描画処理の間（書換期間）、本実施形態では、共通電極２７は、共通電極駆動用電極２４Ａ，２４Ｂおよび導通部材２８Ａ，２８Ｂを通じて制御回路基板１４から供給される駆動信号（パルス信号）によって印可され、１２５ｍｓ周期で交互に０Ｖおよびおおよそ＋１５Ｖに印可される。なお、以降、０ＶをＬ電位と表現し、＋１５ＶをＨ電位と表現する。
【００２７】
そして、共通電極２７がＬ電位になる１周期（１２５ｍｓ）の間、所定のセグメント電極２３をＨ電位にすると、このセグメント電極２３と共通電極２７との間に、セグメント電極２３から共通電極２７に向かう電界が発生し、このセグメント電極２３と共通電極２７との間にあるマイクロカプセル２６内のプラスに帯電した黒色粒子が共通電極２７側に移動し、マイナスに帯電した白色粒子がセグメント電極２３側に移動するので、所定のセグメント電極２３上の表示色が１階調分黒くなる。
【００２８】
逆に、共通電極２７がＨ電位になる１周期（１２５ｍｓ）の間、所定のセグメント電極２３をＬ電位にすると、セグメント電極２３と共通電極２７との間にあるマイクロカプセル２６内のマイナスに帯電した白色粒子は共通電極２７側に移動し、プラスに帯電した黒色粒子はセグメント電極２３側に移動するので、所定のセグメント電極２３上の表示色が１階調分白くなる。
また、共通電極２７の電位と、所定のセグメント電極２３との間に電位差がない場合には、このセグメント電極２３と共通電極２７との間にある白色粒子および黒色粒子には移動は生じず、所定のセグメント電極２３上の表示色の階調は維持される。
【００２９】
つまり、共通電極２７の電位の最初の１周期（０ｍｓ〜１２５ｍｓ）の電位がＬ電位から始まり、その後、Ｈ電位（２周期目）、Ｌ電位（３周期目）、Ｈ電位（４周期目）、Ｌ電位（５周期目）…と１周期ごとに交互に印可されていくとした場合において、例えば、所定のセグメント電極２３の表示色を２階調分、黒くしたい時は、所定のセグメント電極２３を０ｍｓから４周期（４００ｍｓ）の間、Ｈ電位にし、その後は、共通電極２７と同じ電位となるように、５周期目にＬ電位、６周期目にＨ電位、７周期目にＬ電位と交互に印可していけばよい。
【００３０】
このようにすれば、１周期目（０ｍｓ〜１２５ｍｓ）、および３周期目（２５０ｍｓ〜３７５ｍｓ）に、共通電極２７がＬ電位になり、所定のセグメント電極２３がＨ電位になるので、２階調分、表示色を黒くさせることができる。この際、２周期目は、共通電極２７および所定のセグメント電極２３が共にＨ電位となるので、階調は変わらない。また、４周期目以降においても、共通電極２７および所定のセグメント電極２３は、共にＨ電位（４周期目）、Ｌ電位（５周期目）と交互に印可されていくので、共通電極２７および所定のセグメント電極２３間に電位差は生じず、所定のセグメント電極２３上の表示色の階調は維持される。
【００３１】
このようにして、各所定のセグメント電極２３の電位を変化させ、表示色を目的とする階調にすることで、電気泳動ディスプレイ１５上に、例えば、時刻を表す画像等が表示される。なお、描画処理（書換期間）が終了すると、制御回路基板１４の駆動信号を出力する出力端がハイインピーダンス状態となり、共通電極２７および各セグメント電極２３間に電位差が生じることがないので、表示された画像を、次の時刻更新や、表示更新指示があるまで維持することができる。また、本実施形態では、駆動回路１９は昇圧回路を内蔵し、電源１７から供給される電圧（例えば３Ｖ）を昇圧しておおよそ＋１５Ｖの電圧を生成しており、この＋１５Ｖの電圧、および０Ｖの電圧をセグメント電極２３および共通電極２７に印可している。
【００３２】
本実施形態では、このような時計１において、カバー体７と、先端導通部材２８Ａが配置された電気泳動ディスプレイ１５の先端側端部２９Ａとの間に、押圧手段である先端スペーサ部材３２Ａが設置され、カバー体７と、中央導通部材２８Ｂが配置された中央側端部２９Ｂとの間に、押圧手段である中央スペーサ部材３２Ｂが設置されている。
【００３３】
これらのスペーサ部材３２Ａ，３２Ｂは、ポリイミドやウレタンゴムなどの弾性を備え、かつ、摩擦されても磨耗粉が生じにくい部材から構成され、各端部２９Ａ，２９Ｂにおいて、電気泳動ディスプレイ１５の長手方向と直行する幅方向の端から端に渡って取り付けられている。
そして、各スペーサ部材３２Ａ，３２Ｂは、カバー体７と、電気泳動ディスプレイ１５とに挟まれて圧縮された状態で設置されていることにより、透明基板２１を導通部材２８Ａ，２８Ｂに向かって十分な押圧力で押圧している。
【００３４】
また、本実施形態では、湾曲された電気泳動ディスプレイ１５の外周側の面が表面１５０となり、湾曲された電気泳動ディスプレイ１５の内周側の面が裏面１５１となる。そして、この電気泳動ディスプレイ１５の裏面１５１において、先端側端部２９Ａよりも所定の距離、湾曲方向内側の位置に、接着手段である接着剤３３が幅方向の端から端に渡って塗布されており、これにより、電気泳動ディスプレイ１５はケース２に接着されている。なお、接着手段としては、接着剤３３の他に両面テープなどを用いてもよい。
【００３５】
以下に時計１の組み立て方について述べる。
まず、電気泳動ディスプレイ１５の端部２９Ａ，２９Ｂが表示窓１０から見えないように、表示ユニット３が接着剤３３によって裏蓋９に位置決めされて取り付けられる。次に、この裏蓋９の上部においては、電気泳動ディスプレイ１５に、カバー体７および上部外装体６が重ねられ、電気泳動ディスプレイ１５およびカバー体７が上部外装体６と裏蓋９との間に挟み込まれる。そして、裏蓋９の裏側から留めねじ１３（図１参照）が上部外装体６に螺合されることで、電気泳動ディスプレイ１５およびカバー体７が上部外装体６と裏蓋９との間に狭持され、時計１の上部が組み立てられる。なお、この際、電気泳動ディスプレイ１５は、曲げ癖をつけられた後に組み込まれてもよいし、曲げられながら組み込まれてもよい。
【００３６】
また、裏蓋９の下部においては、制御回路基板１４に、下部外装体８が重ねられ、制御回路基板１４が下部外装体８と裏蓋９との間に挟み込まれる。そして、裏蓋９の裏側から、留めねじ１３が下部外装体８に螺合されることで、制御回路基板１４が下部外装体８と裏蓋９との間に狭持され、時計１の下部が組み立てられる。このようにして、時計１全体が組み立てられる。
【００３７】
従って、本実施形態によれば、以下のような効果を奏することができる。
（１）電気泳動ディスプレイ１５の導通部材２８Ａ，２８Ｂが配置された端部２９Ａ，２９Ｂと、カバー体７との間に押圧手段であるスペーサ部材３２Ａ，３２Ｂが圧縮された状態で設置されているので、電気泳動ディスプレイ１５の端部２９Ａ，２９Ｂを裏蓋９とスペーサ部材３２Ａ，３２Ｂとの間に挟み込むことができ、導通部材２８Ａ，２８Ｂと電極２４Ａ，２４Ｂ，２７とを密着された状態に維持できる。
よって、電気泳動ディスプレイ１５が湾曲されて配置されることにより、導通部材２８Ａ，２８Ｂが電極２４Ａ，２４Ｂ，２７から剥離したり、導通部材２８Ａ，２８Ｂの内部に空間ができるような破壊が生じたりしても、導通部材２８Ａ，２８Ｂは共通電極２７と共通電極駆動用電極２４Ａ，２４Ｂとの導通を維持でき、画像の表示性能を良好に維持できる。
【００３８】
（２）電気泳動ディスプレイ１５を湾曲させて配置する際に、電気泳動ディスプレイ１５の位置決めおよび固定のため、電気泳動ディスプレイ１５の裏面１５１において、先端側端部２９Ａと、ケース２とを接着剤３３等の接着手段で固定した場合、ディスプレイ基板２０はケース２に固定されているが、透明基板２１はケース２に直接は固定されていないため、透明基板２１は曲げに対して元に戻ろうとする力、つまり、反発力により、元の平面状態に戻ろうとする。これにより、先端側端部２９Ａと、ケース２とを接着剤３３等の接着手段で固定した場合、先端導通部材２８Ａには引張力が働き、導通部材２８Ａ，２８Ｂが電極２４Ａ，２４Ｂ，２７から剥離したり、導通部材２８Ａ，２８Ｂ内部における破壊が生じやすくなる。
一方、本実施形態では、接着手段である接着剤３３が電気泳動ディスプレイ１５の裏面１５１において、先端側端部２９Ａよりも湾曲方向内側の位置で、電気泳動ディスプレイ１５をケース２に接着しているので、先端導通部材２８Ａが配置された先端側端部２９Ａがケース２に接着されなくなる。
このため、本実施形態では、先端側端部２９Ａがケース２に接着されている場合に比べて、特に組み立て途中において、表示ユニット３が取り付けられたケース２に未だカバー体７や上部外装体等６が取り付けられていない状態の際に、先端側端部２９Ａに配置された先端導通部材２８Ａに引張力が作用しない分、先端導通部材２８Ａの破壊を抑えることができ、画像の表示性能をより良好に維持できる。この効果は、電気泳動ディスプレイ１５が曲げ癖を付けられていない状態でケース２に取り付けられ、先端導通部材２８Ａに透明基板２１の反発による引張力が強く作用する場合において、特に顕著に奏することができる。
【００３９】
〔第２実施形態〕
図５は、本発明の第２実施形態に係る時計の要部の断面図である。なお、本第２実施形態以降において、前記第１実施形態と同一機能部位には、同一符号を付し、それらの説明を省略する。
【００４０】
本第２実施形態では、先端スペーサ部材３２Ａが設けられていない点と、電気泳動ディスプレイ１５の裏面１５１において、接着手段である接着剤３３が先端側端部２９Ａよりも湾曲方向内側の位置で電気泳動ディスプレイ１５をケース２に接着し、先端側端部２９Ａを電気泳動ディスプレイ１５の反発力によりケース２に当接させている点が特徴である。その他の構成は、前記第１実施形態と同様である。なお、本実施形態では、押圧手段は接着手段である接着剤３３を備えて構成されている。
【００４１】
従って本実施形態によれば、前記第１実施形態の（２）の効果の他に、以下のような効果を奏することができる。
（３）押圧手段を構成するとともに接着手段である接着剤３３が先端側端部２９Ａよりも湾曲方向内側の位置で電気泳動ディスプレイ１５をケース２に接着し、先端側端部２９Ａを電気泳動ディスプレイ１５の反発力によりケース２に当接させているので、ディスプレイ基板２０が反発力により先端導通部材２８Ａを押圧でき、先端導通部材２８Ａと電極２４Ａ，２７とを密着された状態に維持でき、共通電極２７と先端共通電極駆動用電極２４Ａとを導通させることができて画像の表示性能を良好に維持できる。
【００４２】
（４）スペーサ部材３２Ａ，３２Ｂを不要にできるため、スペーサ部材３２Ａ，３２Ｂをカバー体７と電気泳動ディスプレイ１５との間に設置する場合に比べて組立性を向上でき、コストも軽減できる。
【００４３】
〔実施形態の変形〕
本発明は、前記実施形態に限定されるものではなく、本発明の目的を達成できる他の構成等を含み、以下に示すような変形等も本発明に含まれる。
スペーサ部材３２Ａ，３２Ｂは、電気泳動ディスプレイ１５と裏蓋９との間に設置されていてもよい。例えば、前記第２実施形態では、電気泳動ディスプレイ１５の先端側端部２９Ａと裏蓋９との間に、先端スペーサ部材３２Ａは設置されていなかったが、先端側端部２９Ａと裏蓋９との間に、前記第１実施形態と同様の先端スペーサ部材３２Ａが設置されていてもよい。さらに、先端側端部２９Ａとケース２との間に前記第１実施形態と同様の先端スペーサ部材３２Ａが設置されているとともに、中央側端部２９Ｂと裏蓋９との間にも前記第１実施形態と同様の中央スペーサ部材３２Ｂが設置されていてもよい。
【００４４】
このような変形でも、前記第１，第２実施形態の効果（１），（２），（３）の他に、以下のような効果を奏することができる。
（５）スペーサ部材３２Ａ，３２Ｂが電気泳動ディスプレイ１５の端部２９Ａ，２９Ｂと裏蓋９との間に設置されているので、表示窓１０からスペーサ部材３２Ａ，３２Ｂが確実に露出しない構成にすることができ、時計１の外観を向上させることができる。
【００４５】
（６）また、電気泳動ディスプレイ１５の端部２９Ａ，２９Ｂと、裏蓋９との間にスペーサ部材３２Ａ，３２Ｂが設置されることにより、カバー体７と電気泳動ディスプレイ１５との隙間が減少するので、ケース２内部の電気泳動ディスプレイ１５以外の部分が露出しない構成にすることができ、外観をより向上させることができる。
【００４６】
（７）ディスプレイ基板２０の方が相対的に透明基板２１よりも薄く形成されているため、ディスプレイ基板２０と裏蓋９との間にスペーサ部材３２Ａ，３２Ｂを設置することで、ディスプレイ基板２０とカバー体７との間にスペーサ部材３２Ａ，３２Ｂを設置する場合に比べ、より強く電気泳動ディスプレイ１５の端部２９Ａ，２９Ｂを挟み込むことができ、導通部材２８Ａ，２８Ｂを強く押圧できて導通部材２８Ａ，２８Ｂによる共通電極２７と共通電極駆動用電極２４Ａ，２４Ｂとの導通を確実に維持できる。
【００４７】
前記第１実施形態では、スペーサ部材３２Ａ，３２Ｂの他に接着剤３３で電気泳動ディスプレイ１５の裏面１５１を接着していたが、接着剤３３は塗布せずにスペーサ部材３２Ａ，３２Ｂのみを設けてもよい。
【００４８】
電気泳動ディスプレイ１５の各端部２９Ａ，２９Ｂとケース２との間において、スペーサ部材３２Ａ，３２Ｂは、カバー体７との間および裏蓋９との間のどちらの間に設置されていてもよく、先端側端部２９Ａおよび中央側端部２９Ｂのどちらか一方には、カバー体７との間にスペーサ部材３２Ａ，３２Ｂが設けられ、他方には、裏蓋９との間にスペーサ部材３２Ａ，３２Ｂが設けられていてもよい。
【００４９】
電気泳動ディスプレイ１５の端部２９Ａ，２９Ｂとカバー体７との間、および端部２９Ａ，２９Ｂと裏蓋９との間両方に、適宜な厚さのスペーサ部材３２Ａ，３２Ｂが設けられていてもよい。
また、各スペーサ部材３２Ａ，３２Ｂが取り付けられる位置は、各基板２０，２１を押圧することで各導通部材２８Ａ，２８Ｂを押圧できるならば、導通部材２８Ａ，２８Ｂが設けられた位置に限らず、導通部材２８Ａ，２８Ｂが設けられた位置の周囲でもよく、少なくとも導通部材２８Ａ，２８Ｂと各電極２４Ａ，２４Ｂ，２７とが密着する押圧力を電気泳動ディスプレイ１５に加えることができる位置であればよい。
【００５０】
スペーサ部材３２Ａ，３２Ｂは、電気泳動ディスプレイ１５上に幅方向の端から端までに渡って連続して取り付けられていなくともよく、電気泳動ディスプレイ１５の幅寸法よりも短い長さのものを１つないし複数個取り付けられていてもよい。要するに、スペーサ部材３２Ａ，３２Ｂとしては、少なくとも導通部材２８Ａ，２８Ｂと各電極２４Ａ，２４Ｂ，２７とが密着する押圧力を電気泳動ディスプレイ１５に対して加えることができれば、スペーサ部材３２Ａ，３２Ｂの取り付け位置や大きさは限定されない。
また、スペーサ部材３２Ａ，３２Ｂは、電気泳動ディスプレイ１５側に接着されている必要は必ずしもなく、ケース２側に接着されていてもよい。
【００５１】
前記実施形態では、電気泳動層２２は、白色および黒色の２色の粒子によって画像を表示していたが、１色の粒子によって画像を表示するものでもよい。また、白色、黒色以外の２色の粒子であっても良い。
電源１７には、一次電池であるボタン電池が用いられていたが、これに限らず、例えばフレキシブルなリチウムポリマー電池などの二次電池が用いられていてもよい。
【００５２】
前記実施形態では、腕時計に本発明を適用する場合について述べたが、これに限らず、置時計、壁掛時計、柱時計、懐中時計等の各種時計にも、電気泳動ディスプレイが湾曲されて配置されていれば、本発明を適用することができる。さらに、本発明の適用は、時計に限らず、例えば、ＰＤＡ（Personal Digital Assistants）、携帯電話機等の表示装置（電子機器）にも適用可能である。
【図面の簡単な説明】
【００５３】
【図１】本発明の第１実施形態に係る時計の斜視図。
【図２】前記実施形態の時計の断面図。
【図３】前記実施形態の表示ユニットの平面図。
【図４】前記実施形態の電気泳動ディスプレイの断面図。
【図５】本発明の第２実施形態に係る時計の要部の断面図。
【符号の説明】
【００５４】
１…表示装置である時計、２…ケース、１５…電気泳動ディスプレイ、２０…ディスプレイ基板、２１…透明基板、２３…表示用電極であるセグメント電極、２４Ａ，２４Ｂ…共通電極駆動用電極、２７…共通電極、２８Ａ，２８Ｂ…導通部材、３２Ａ，３２Ｂ…押圧手段であるスペーサ部材、３３…押圧手段を構成する接着剤、１５１…裏面。
【図１】
2008015007.tif 000003
【図２】
2008015007.tif 000004
【図３】
2008015007.tif 000005
【図４】
2008015007.tif 000006
【図５】
2008015007.tif 000007